(57)【要約】投光機において、バルーンで覆われた発光部の冷却効率の向上を図る。発光部を有する本体部（１０）と、本体部内に設けられるバッテリ（１３）と、発光部を覆うとともに、本体部（１０）の一部を覆うバルーン（７）と、発光部を冷却するためのヒートシンク（２５）と、外気を取り込むための吸気口（４１）と、吸気口（４１）から取り込まれた空気をヒートシンクに送風するためのファン（３０）と、ヒートシンクを通過した空気を排気するための排気口（４２）とを備える。ヒートシンク、ファン及びバッテリは本体部の上下方向において一直線上に配置される。排気口（４２）はバルーン（７）内に開口している。
2020116049.tif 000002
【特許請求の範囲】
【請求項１】
発光部を有する本体部と、前記本体部に設けられ、バッテリが着脱可能なバッテリ収納部と、前記発光部を覆うとともに、前記本体部の一部を覆うバルーンと、前記発光部を冷却するためのヒートシンクと、外気を取り込むための吸気口と、前記吸気口から取り込まれた空気を前記ヒートシンクに送風するためのファンと、前記ヒートシンクを通過した空気を排気するための排気口と、を備え、前記ヒートシンク、前記ファン及び前記バッテリ収納部は前記本体部の上下方向において一直線上に配置され、前記排気口は前記バルーン内で開口しており、前記排気口から排出される空気によって前記バルーンを膨らませる、電気機器。
【請求項２】
前記排気口から排出される空気によって前記バルーンを温める、請求項１に記載の電気機器。
【請求項３】
前記本体部の上下方向において、前記ヒートシンクの下方に前記ファンが位置し、前記ファンの下方に前記バッテリが位置しており、前記ヒートシンク、前記ファン及び前記バッテリが前記本体部の上下方向の中心軸上に配置されている、請求項１又は２に記載の電気機器。
【請求項４】
前記ファンの回転によって発生する空気流によって前記バッテリ及び前記ヒートシンクが冷却され、前記バッテリ及び前記ヒートシンクを冷却した空気が前記排気口から排出される、請求項１乃至３のいずれか一項に記載の電気機器。
【請求項５】
前記吸気口及び前記排気口は、次の（１）〜（３）の少なくとも１つを満足するように配置される、請求項１乃至４のいずれか一項に記載の電気機器。（１）前記吸気口及び前記排気口は、前記本体部の外周面に配置され、前記本体部の高さ方向において、前記吸気口が前記排気口よりも低い位置にある。（２）前記排気口は、前記ヒートシンクの側方に配置されている。（３）前記吸気口は、前記本体部の高さ方向において前記バッテリ収納部と前記ファンとの間に設けられている。
【請求項６】
前記本体部の外周面にハンドルが取り付けられ、前記ハンドルは前記本体部の高さ方向において、前記ヒートシンクと前記バッテリとの間、又は、前記吸気口と前記排気口との間に配置されている、請求項５に記載の電気機器。
【請求項７】
前記本体部の外周面に操作パネルが設けられており、前記操作パネルは前記本体部の高さ方向において、前記吸気口と前記排気口との間に配置されている、請求項５又は６に記載の電気機器。
【請求項８】
前記本体部は前記バッテリを充電できる、又は／及び、前記バッテリから他の電気機器に電力を供給できる、請求項１乃至７のいずれか一項に記載の電気機器。
【請求項９】
前記排気口の下方に設けられている傘状部と、前記排気口及び前記吸気口が、排水用のドレン通路を兼ねている、請求項１乃至８のいずれか一項に記載の電気機器。
【請求項１０】
前記ファンと前記発光部との間を仕切る仕切り部を有し、前記仕切り部には、前記空気を通す為の通気孔が設けられる、請求項１乃至９のいずれか一項に記載の電気機器。
【請求項１１】
前記発光部を覆い、かつ前記本体部に着脱自在に設けられる硬質材料の光透過性カバーを備え、前記本体部は、前記光透過性カバーを覆う前記バルーンを着脱可能に取り付けるための取付け部を有する、請求項１乃至１０のいずれか一項に記載の電気機器。
【請求項１２】
前記光透過性カバーは前記本体部の上下方向に延びる延長部を有し、前記延長部は前記本体部に取り付けられたハンドルに近い位置の前記排気口を覆う、請求項１１に記載の電気機器。
【請求項１３】
前記本体部には、前記光透過性カバーの内側空間に開口する通気孔が設けられ、前記ファンからの空気流の一部が前記通気孔を通り、前記光透過性カバーの内側空間を経て前記排気口から排気される、請求項１１又は１２に記載の電気機器。
【請求項１４】
前記本体部の底面には、支持脚部を連結するための取付部と前記本体部を吊り下げるための吊り下げ具の少なくとも一方が設けられている、請求項１乃至１３のいずれか一項に記載の電気機器。
【請求項１５】
前記光透過性カバーが、光拡散カバー、光集束カバー又は光直進性の透明カバーである、請求項１１乃至１４のいずれか一項に記載の電気機器。
【発明の詳細な説明】
【技術分野】
【０００１】本発明は、発光部を有する電気機器に係り、とくにバルーン投光機として好適に使用可能な電気機器に関する。また、バルーンを装着して又はバルーン非装着で使用可能なバルーン着脱式投光器として好適に使用可能な電気機器に関する
【背景技術】
【０００２】従来、バルーン投光機の光源としてハロゲンランプが一般的に使用されてきたが、近年、省電力及び長寿命化の観点からＬＥＤを光源とした発光部が使用されるようになってきている。【０００３】ＬＥＤ光源を用いた従来のバルーン投光機は、バルーン内にＬＥＤ光源を配置し、バルーンを膨らませる空気流の一部がＬＥＤ光源を冷却する構造であった。また、バルーン内にＬＥＤ光源を配置し、ＬＥＤ光源から放射された光が直接バルーンの内側を照らす構造であった。
【先行技術文献】
【特許文献】
【０００４】
【特許文献１】特開２００４−３５４１５４号公報
【発明の概要】
【発明が解決しようとする課題】
【０００５】特許文献１は支持脚上の回転台にライトを設けた投光器の一例である。従来のバルーン投光機は、バルーン内に発光部を配置し、バルーンを膨らませる空気流の一部で発光部を冷却する構造であるため、発光部の冷却効率が良好とはいえないきらいがあった。また、バルーン内に発光部を配置し、発光部としてのＬＥＤ光源から放射された光が直接バルーンの内側を照らす構造であり、ＬＥＤから放射される光は白熱灯やハロゲン灯と異なり指向性が高いため、バルーンの裏側全面に均等に当たり難く、バルーン全体を均等に光らせることが困難であった。特にＬＥＤ光源に近い地面を照らす部分が暗くなるため、バルーンの上部に光を反射する材質とすることで地面側を明るくする方法もあるが、バルーン上部は光を遮るため、やはりバルーン全体を均等に光らせることはできなかった。また、バルーンを外し、手で持って使用することはできなかった。【０００６】本発明はこうした状況を認識してなされたものであり、第１の目的は、バルーンで覆われた発光部の冷却効率の向上を図ることのできる電気機器を提供することにある。第２の目的は、電気機器（投光機）のバルーンを外して、手で持って使用する場合に光拡散カバー等の光透過性カバーのみを取付けて使用することができるようにした電気機器（例えばバルーン着脱式投光機）を提供することにある。
【課題を解決するための手段】
【０００７】本発明のある態様は電気機器である。この電気機器は、発光部を有する本体部と、前記本体部に設けられ、バッテリが着脱可能なバッテリ収納部と、前記発光部を覆うとともに、前記本体部の一部を覆うバルーンと、前記発光部を冷却するためのヒートシンクと、外気を取り込むための吸気口と、前記吸気口から取り込まれた空気を前記ヒートシンクに送風するためのファンと、前記ヒートシンクを通過した空気を排気するための排気口と、を備え、前記排気口は前記バルーン内で開口している。【０００８】前記ヒートシンク、前記ファン及び前記バッテリ収納部は前記本体部の上下方向において一直線上に配置されてもよい。【０００９】前記排気口から排出される空気によって前記バルーンを膨らませてもよい。【００１０】前記排気口から排出される空気によって前記バルーンを温めてもよい。【００１１】前記本体部の上下方向において、前記ヒートシンクの下方に前記ファンが位置し、前記ファンの下方に前記バッテリが位置しており、前記ヒートシンク、前記ファン及び前記バッテリが前記本体部の上下方向の中心軸上に配置されてもよい。【００１２】前記ファンの回転によって発生する空気流によって前記バッテリ及び前記ヒートシンクが冷却され、前記バッテリ及び前記ヒートシンクを冷却した空気が前記排気口から排出されるように構成してもよい。【００１３】前記吸気口及び前記排気口は前記本体部の外周面に配置され、前記本体部の高さ方向において、前記吸気口が前記排気口よりも低い位置にあってもよい。【００１４】前記排気口は前記ヒートシンクの側方に配置されてもよい。【００１５】前記本体部の外周面にハンドルが取り付けられ、前記ハンドルは前記本体部の高さ方向において、前記ヒートシンクと前記バッテリとの間に配置されてもよい。【００１６】前記本体部の外周面にハンドルが取り付けられ、前記ハンドルは前記本体部の高さ方向において、前記吸気口と前記排気口との間に配置されてもよい。【００１７】前記本体部の外周面に操作パネルが設けられており、前記操作パネルは前記本体部の高さ方向において、前記吸気口と前記排気口との間に配置されてもよい。【００１８】前記本体部は前記バッテリを充電できる、又は／及び、前記バッテリから他の電気機器に電力を供給できる構造であってもよい。【００１９】前記吸気口は、前記本体部の高さ方向において前記バッテリ収納部と前記ファンとの間に設けられてもよい。【００２０】前記排気口の下方に設けられている傘状部と、前記排気口及び前記吸気口が、排水用のドレン通路を兼ねてもよい。【００２１】前記発光部はＬＥＤを有してもよい。【００２２】前記ファンと前記発光部との間を仕切る仕切り部を有し、前記仕切り部には、前記空気を通す為の通気孔を設けてもよい。【００２３】前記発光部を覆い、かつ前記本体部に着脱自在に設けられる硬質材料の光透過性カバーを備えてもよい。【００２４】前記本体部は、前記光透過性カバーを少なくとも覆う前記バルーンを着脱可能に取り付けるための取付け部を有してもよい。【００２５】外気を取り込むための吸気口と、前記ヒートシンクを通過した空気を排気するための排気口とが、前記本体部に設けられてもよい。【００２６】前記本体部にハンドルが取り付けられ、前記排気口は前記ハンドルの取付位置とは異なる高さ位置に設けられてもよい。【００２７】前記光透過性カバーは前記本体部の上下方向に延びる延長部を有し、前記延長部が前記ハンドルに近い位置の前記排気口を覆ってもよい。【００２８】前記本体部側には、前記光透過性カバーの内側空間に開口する通気孔が設けられ、前記ファンからの空気流の一部が前記通気孔を通り、前記光透過性カバーの内側空間を経て前記排気口から排気されてもよい。【００２９】前記本体部の底面には、支持脚部を連結するための取付部が設けられてもよい。【００３０】前記本体部の底面には、前記本体部を吊り下げるための吊り下げ具が設けられてもよい。【００３１】前記光透過性カバーが、光拡散カバー、光集束カバー又は光直進性の透明カバーであってもよい。【００３２】なお、以上の構成要素の任意の組合せ、本発明の表現を方法やシステムなどの間で変換したものもまた、本発明の態様として有効である。
【発明の効果】
【００３３】本発明に係る電気機器によれば、バルーンで覆われる発光部の冷却を効率的に行うことが可能になる。また、バルーンを外して、手で持って使用する場合に光拡散カバー等の光透過性カバーのみを取付けて使用することが可能になる。また、光透過性カバーとして光拡散カバーを用いる場合、指向性の高いＬＥＤにおいても放射された光を均一および効率的に利用することが可能になる。
【図面の簡単な説明】
【００３４】
【図１】本発明に係る電気機器の実施の形態であって、全体構成を示す斜視図。
【図２Ａ】実施の形態において、本体部にバルーンを装着した状態を示す正面図。
【図２Ｂ】実施の形態において、本体部にバルーンを装着した状態であって、コンセントを露出させたときの背面図。
【図２Ｃ】実施の形態において、本体部にバルーンを装着した状態であって、コンセントにカバーを設けたときの背面図。
【図３】図２Ａの場合の吸気及び排気の様子を示す正面図。
【図４】実施の形態において、光拡散カバーを本体部に設けた状態を示す正面図。
【図５】同じく斜視図。
【図６】同じくバッテリ収納部の開閉蓋を開いた状態の斜視図。
【図７】実施の形態において、光拡散カバー及び本体部を示す分解斜視図。
【図８】前記本体部の底面側より見た斜視図。
【図９】前記光拡散カバーを本体部に設けた状態であって、空気流を示す正断面図。
【図１０】同じく前記本体部内の排水の流れを示す正断面図。
【図１１】本発明に係る電気機器の他の実施の形態であって、光拡散カバーを本体部に設けた状態を示す斜視図。
【図１２】同分解斜視図。
【発明を実施するための形態】
【００３５】以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００３６】図１から図１０は、本発明に係る電気機器の実施の形態としてバルーン投光機（バルーン着脱式投光器）を示す。バルーン投光機１は、三脚構造を持つ支持脚部２と、支持脚部２の支柱２ａで支持された本体部１０と、本体部１０が有する発光部２０を覆う光透過性カバーとしての光拡散カバー５と、光拡散カバー５を覆うとともに本体部１０の一部を覆う光透過性バルーン７とを備えている。
【００３７】本体部１０は、箱形の下部本体ハウジング１１と、その上部にやや小径で一体的に設けられる略円筒状の上部本体ハウジング１２とを有している。図６等に示すように、本体部１０はバッテリ１３（電動工具用電池パック）を着脱自在に収納するためのバッテリ収納部１４を、箱形の下部本体ハウジング１１内に有している。バッテリ収納部１４は下部本体ハウジング１１の側面に開口しており、その開口は開閉蓋１５で閉じられるようになっている。バッテリ収納部１４の開口の周縁部には防水のためのＯ−リング１６が設けられており、開閉蓋１５が閉じた状態ではバッテリ収納部１４の開口を水密に封止できる。
【００３８】図８に示すように、下部本体ハウジング１１の底面には、支持脚部２を連結固定する取付部としての支持脚部固定ナット１７が固定されており、支持脚部固定ナット１７に支持脚部２の支柱２ａが螺着される。支持脚部２に対して本体部１０は着脱自在に連結される。また、下部本体ハウジング１１の底面には、吊り下げ具としてのフック１８が起伏自在に取り付けられている。フック１８は本体部１０の運搬や吊り下げ保管の便宜のために設けられている。
【００３９】図７、図９及び図１０に示すように、発光部２０は、発光素子としてのＬＥＤを多数面状配置した発光素子群（ＬＥＤ群）２１ａを一体に有する発光素子基板２１を備える。発光部２０を冷却するためのヒートシンク２５は、冷却用フィンを多数有するとともに平板状の基板保持部２５ａを一体に有し、発光素子基板２１はヒートシンク２５の基板保持部２５ａ上に固定されている。基板保持部２５ａは略円筒状の上部本体ハウジング１２の上端面の開口を塞ぐ配置であり、後述のファン３０と発光部２０との間を仕切る仕切り部となる。基板保持部２５ａは上部本体ハウジング１２の上端面の開口周縁部にネジ止め固定される。ヒートシンク２５の下方位置にはヒートシンク２５に冷却用空気を送り込むモータ駆動の軸流ファン３０が配置されている。軸流ファン３０及びこれを取り囲むファンガイド３１は上部本体ハウジング１２内に支持されている。ファン３０の下方位置にバッテリ１３が配置されているから、ヒートシンク２５、ファン３０及びバッテリ１３は本体部１０の上下方向（高さ方向）の中心軸Ｃ（中心軸が鉛直であれば同一鉛直線）上にある。すなわち、ヒートシンク２５、ファン３０及びバッテリ１３（又はバッテリ収納部１４）は本体部１０の上下方向において一直線上に配置されている。
【００４０】本体部１０の外周面、つまり上部本体ハウジング１２の外周面に吸気口４１及び排気口４２が配置され、本体部１０の高さ方向（上下方向）において、吸気口４１が排気口４２よりも低い位置にある。図９及び図１０に示す通り、吸気口４１はファン３０よりも下方の高さ位置で、排気口４２はヒートシンク２５の側方に配置されている。また、基板保持部２５ａ及び上部本体ハウジング１２の上端面の開口周縁部に通気孔４３，４４がそれぞれ形成されている。また、吸気口４１側と排気口４２側とを仕切るために仕切り部材４５がファンガイド３１の外側に配置されている。
【００４１】本体部１０の外周面の両側にハンドル５０が設けられている。つまり、一対のハンドル５０は上部本体ハウジング１２の外周面にそれぞれ取り付けられ、ハンドル５０は本体部１０の高さ方向において、バッテリ１３とヒートシンク２５との間に配置されている。このハンドル５０の位置は、本体部１０の高さ方向において、吸気口４１と排気口４２との間でもある。ハンドル５０の高さ位置は、本体部１０の重心の高さに近い位置に設定され、本体部１０の運搬が容易となるようにしている。図２Ｂに示すように、前記重心Ｑは、好ましくは、ハンドル５０と下部本体ハウジング１１の間の中心軸Ｃ付近に設けられるようにするのが良く、具体的には図２Ｂの点線ＱＲの範囲内に位置するとよい。こうすることで、ハンドル５０を持った時のバランス（安定感）が良くなる。また、それぞれのハンドル５０は、円環状の部材にて構成されており、ハンドルとして把持できる他、盗難防止、あるいは後述するフック１８の使用時における鎖（図示せず）で係合できるようになっている。
【００４２】光透過性カバーとしての光拡散カバー５は、所定の光透過率を有する樹脂等の硬質材料からなり、ＬＥＤを多数面状配置した発光素子群２１ａを搭載した発光素子基板２１の発光を周囲３６０度全体に拡散させる機能を有する。光拡散カバー５の形状は上端面が閉じた偏平円筒状であり、円筒状部分の内周面に雌螺子部５ａが形成されている。上部本体ハウジング１２の上端部外周面に形成された雄螺子部１２ａに光拡散カバー５の雌螺子部５ａが螺合することにより、光拡散カバー５は本体部１０に着脱自在に装着される（取り付けられる）。
【００４３】下部本体ハウジング１１内には、発光素子基板２１上の発光素子群２１ａを点灯させるための発光素子駆動回路基板６１及び電源回路基板６２が収納されている。バッテリ収納部１４にバッテリ１３が装着されたバッテリ使用時は、バッテリ１３の直流電源で発光素子駆動回路基板６１が動作し、発光素子基板２１上の発光素子群２０ａを点灯させる。図示しないが、バッテリ１３の直流電源だけでなく、商用電源（例えばＡＣ１００Ｖ）でも動作可能なように下部本体ハウジング１１の背面に、図２Ｂのように商用電源入力用コネクタ８０が設けられている。このコネクタからの商用電源入力が電源回路基板６２に供給され、電源回路基板６２の直流出力で発光素子駆動回路基板６１を作動させるようになっている。更に、下部本体ハウジング１１には商用電源出力用コンセント８１が設けられていて、他の電気機器等（バルーン投光機）に電力を供給することができる。これらの商用電源入力用コネクタ８０、商用電源出力用コンセント８１には、図２Ｃに示す防水、防塵の為のカバー８２、８３が設けられていて、使用しないときには塞ぐことができる。なお、電源回路基板６２の直流出力はバッテリ１３の充電にも使用でき、商用電源入力用コネクタ８０に商用電源が供給されていて、バルーン投光機が使用されていない時などに、バッテリ１３に充電するようにしても良いし、バルーン投光機自体の消費電力が少ない時に、充電するようにしても良い。こうすることで、商用電源が停電になったときに、バッテリ１３がバッテリ収納部１４に装着されていれば、バッテリ１３からの直流電源で発光素子群２０ａの点灯を継続させることができる。また、操作パネル７０で発光部２０の光量が調節可能な場合、光量に増減に対応させてファン３０の送風量を増減してもよい。さらに、充電が完了しているバッテリ(電動工具用電池パック)１３を取り出し、他の電気機器や、電動工具(例えば、ドライバーやインパクトレンチ等)に使用することもできる。
【００４４】本体部１０の外周面に操作パネル７０が設けられている。操作パネル７０はバルーン投光機１の点灯、消灯、光量の調整を行うスイッチや、バッテリ駆動と商用電源駆動との切り替え操作等を行うためのスイッチを有している。なお、光量の調整は、例えば、スイッチを押す毎に、高、中、低の３段階を順次繰り返すようなトグル型の操作部になっている。更に、常夜灯モードや、バッテリ駆動における出力低下時などで、消費電力を抑制、すなわち、バッテリ駆動時間の延長化のために、発光部の一部分のみを発光させるようにしても良い。操作パネル７０は本体部１０の高さ方向において、吸気口４１と排気口４２との間の上部本体ハウジング１２外周面に配置されている。
【００４５】バルーン７は所要の光透過性及び光散乱性を有する布材等（例えば布に樹脂を塗布したもの）で形成され、内部に空気を送り込むことで略球状あるいは楕円(偏平球体)状や円筒状に膨らむものである。バルーン７は下部に開口しており、その開口の周囲に、上部本体ハウジング１２の外周面（排気口４２からの冷却風で膨らむバルーン７を取付けるための取付け部）に巻付け固定可能な面ファスナー、ひも、フック等の装着手段７ａを有している。バルーン７は発光部２０のカバーである光拡散カバー５を覆うとともに、本体部１０の一部を覆うように本体部１０に着脱自在に装着される。バルーン７の下部開口の固定位置は、吸気口４１と排気口４２の間でハンドル５０よりも上の上部本体ハウジング１２外周面である。バルーン７は下部開口の周囲に面ファスナー等の装着手段７ａを有することで、バルーン下部開口と上部本体ハウジング１２外周面との間に、なるべく隙間が生じないようにバルーン７を本体部１０に取り付けることが可能である。また、排気口４２はバルーン７内で開口しており、排気口４２からの排気でバルーン７を膨らませることができる。図３のように、吸気口４１から本体部１０内に吸入された外気（矢印ＩＮ）は、本体部１０内のヒートシンク２５や光拡散カバー５の内側を通過し、それらの熱を奪って温まった排気（矢印ＯＵＴ）となって排気口４２からバルーン７内に排気される。なお、冷却用空気の流れは後で詳述する。
【００４６】バルーン７を外した状態で投光機として使用する場合、吸気口４１だけでなく排気口４２も外気にさらされる。つまり、吸気口４１及び排気口４２から入った雨水のドレン対策が必要となる。このため、図１０に示すように、吸気口４１側と排気口４２側とを仕切るために上部本体ハウジング１２内に固定される仕切り部材４５と、ファンガイド３１との間に僅かな隙間Ｇを設けている。吸気口４１側にはファンガイド３１の下方に位置する下部ファンガイド４６が上部本体ハウジング１２の内側下部に固定され、下部ファンガイド４６は吸気口４１の下縁に接続する傘状部４６ａを有している。従って、排気口はそれ自体が内部から排気風の排気によって雨水を排出可能であるのみならず、排気口４２からの矢印Ｒ１のように入った雨水は仕切り部材４５上に滴下し、仕切り部材４５と、ファンガイド３１間の隙間Ｇを経て傘状部４６ａに降下し、矢印Ｒ２のように吸気口４１から外部に排出される。つまり、吸気口４１は排水用のドレン口を兼ねている。吸気口４１に浸入した雨水も下部ファンガイド４６の傘状部４６ａ上を伝わって吸気口４１の外部に排出される。なお、バルーン７を装着した場合、湿度が高い環境では、吸気された空気に含まれる水分が光源から離れたバルーンの頂部等において結露し、排気口に向かって滴下する場合があるが、この場合も、同様に排気口４２から仕切り部材４５や傘状部４６ａを介して吸気口４１から排気される。
【００４７】以上の実施の形態に示すバルーン投光機１の動作について説明する。操作パネル７０でバルーン投光機１の点灯操作を行えば、商用電源又はバッテリ１３の直流電源により発光素子駆動回路基板６１に直流電力が供給され、発光部２０が有する発光素子基板２１の発光素子群２０ａが発光する。発光素子群２０ａからの光が光拡散カバー５で３６０度方向に拡散され、さらにバルーン７を光らせて外部に拡散光を照射する。発光素子群２０ａの点灯により発光素子基板２１は発熱するが、発光素子基板２１が載置された基板保持部２５ａが一体のヒートシンク２５を、ファン３０からの冷却風によって放熱することで冷却される。
【００４８】図９で吸気口４１から取り込まれた外気が本体部１０内のヒートシンク２５や光拡散カバー５内を通って排気口４２から排気として排出されるまでの経路を説明する。ファン３０が回転することで矢印Ａ１〜Ａ４の方向に空気流が発生する。矢印Ａ１のように吸気口４１内に取り込まれた外気は、ファン３０で矢印Ａ２，Ａ３のように冷却用空気としてヒートシンク２５に送風される。ヒートシンク２５を通過した空気流の過半は矢印Ａ２，Ａ４の経路でヒートシンク２５の側方に位置する排気口４２からバルーン７内に排気として排出される。残りの空気流は矢印Ａ３のように基板保持部２５ａの通気孔４３を通過して光拡散カバー５の内側に入って光拡散カバー５内を冷却してから上部本体ハウジング１２の上端面の開口周縁部の通気孔４４を経て矢印Ａ４の経路で排気口４２からバルーン７内に排気として排出される。なお、ファン３０が回転することによる負圧で矢印Ａ５，Ａ６方向の空気流が生じ、バッテリ１３や発光素子駆動回路基板６１、電源回路基板６２を冷却する空気流を発生させることもできる。
【００４９】バルーン７内に排出される排気は、外気がヒートシンク２５等を通過することで温められており、バルーン７は排気により膨らむとともに温められる。これによって、バルーン７の柔軟性が高まり、円滑に膨張させることが可能である。なお、バルーン７を使用する場合は、必ずしも光拡散カバー５を使用する必要は無い。
【００５０】本実施の形態によれば、下記の効果を奏することができる。
【００５１】(1) 本体部１０内のファン３０の回転により、吸気口４１から取り込まれた空気を発光部２０を冷却するヒートシンク２５に冷却風として送出し、ヒートシンク２５を通過した空気をバルーン７の内側に開口した排気口４２から排出してバルーン７を膨らませる構成である。このため、実質的にファン３０による空気流の全てを発光部２０の冷却に利用でき、発光部２０の冷却効率が良い。
【００５２】(2) 発光部２０は多数のＬＥＤを面状に配置した発光素子基板２１を用いることで、省電力及び長寿命化を図ることができる。
【００５３】(3) 排気口４２から排出される排気は外気よりも温かくなっており、バルーン７を膨らませるとともに温めることが可能である。バルーン７の膨張を円滑化できる。
【００５４】(4) ヒートシンク２５、ファン３０及びバッテリ１３が本体部１０の上下方向の中心軸上に配置されているため、重心バランスが向上し、本体部１０の支持脚部２による支持も安定する。
【００５５】(5) 吸気口４１及び排気口４２は本体部１０の外周面に配置され、本体部１０の高さ方向において、吸気口４１が排気口４２よりも低い位置にあり、排気口４２はヒートシンク２５の側方に配置されているから、複雑な風路構成をとらず省スペース化を図ることができる。
【００５６】(6) バルーン７を装着しないで使用した場合、排気口４２が外気にさらされるが、排気口から浸入した雨水がドレン口を兼ねた吸気口４１から排水されるから、バルーン７を外した状態での投光機として好適に使用できる。また、バッテリ１３を着脱自在に収納する本体部１０のバッテリ収納部１４は防水構造であり、とくにバルーン７を外したときの雨対策として有効である。
【００５７】(7) 本体部１０の外周面にハンドル５０が取り付けられ、ハンドル５０は本体部１０の高さ方向において、ヒートシンク２５とバッテリ１３との間（換言すれば、吸気口４１と排気口４２との間）に配置されているから、ハンドル５０は本体部１０の重心の高さに近い位置に設定されることになり、本体部１０の運搬が容易となる。
【００５８】(8) 本体部１０の底面には、吊り下げ具としてのフック１８が起伏自在に取り付けられているから、本体部１０の運搬や吊り下げ保管に便利である。
【００５９】(9) 光透過性カバーとして光拡散カバー５を用いることで、指向性の高いＬＥＤにおいても放射された光を均一および効率的に利用することが可能になる。
【００６０】図１１及び図１２は本発明の他の実施の形態を示す。この場合、本体部１０に着脱自在に装着される光拡散カバーの構造が前述の実施の形態とは異なっている。図１１及び図１２の光拡散カバー５は下方に延在した延長部５ｂを有している。そして、光拡散カバー５を本体部１０の外周面上端部に装着（螺着）したときに、ハンドル５０に近い位置に開口する排気口４２を覆うようになっている。これにより、手でハンドル５０を握った時に排気口４２から排気される暖かい風が手に当たらないようできる。その他の構成は前述の実施の形態と同様である。
【００６１】バルーンを使用しない投光機として用いる場合、ハンドル５０の付近が排気で熱くなりにくいため、発光部２０の点灯中であっても、ハンドル５０を作業者が把持して投光機の位置、向き等を変更できる。
【００６２】以上、実施の形態を例に本発明を説明したが、実施の形態の各構成要素や各処理プロセスには請求項に記載の範囲で種々の変形が可能であることは当業者に理解されるところである。以下、変形例について触れる。
【００６３】前述の実施の形態では、光透過性カバーとして光拡散カバーを用いたが、光拡散カバー５の代わりに光集束カバー又は光直進性の透明カバーを用いることができる。光集束カバーは光を集束するレンズ部を有するもので、例えば凸状レンズやフレネルレンズ等を用いることで、バルーンを用いないでスポットライト用投光機として利用するのに適する。また、光直進性の透明カバーの場合、発光部が有するＬＥＤの発光の光直進性を利用することで、特定方向に強力な光を照射する投光機として利用することができる。予め、光透過性カバーとして光拡散カバー、光集束カバー及び光直進性の透明カバーを用意しておき、それらを本体部に対して付け替えることで、多用途な投光機としての機能を発揮できる。
【００６４】発光部の発光素子としてＬＥＤを例示したが、有機ＥＬ発光体等を発光素子として使用可能である。更に、投光機には通信手段を設け、複数の投光機とリンクできるようにしておき、リンクしている投光器の内の一台がオンされたら、他の投光機も同様に点灯したり、照度等も同様に変化したりするようにしておいても良く、さらに１台のリモコンで、複数台の投光機をコントロールできるようにしても良いし、一対一でコントロールできるようにしても良い。
【符号の説明】
【００６５】１…バルーン投光機、２…支持脚部、５…光拡散カバー、５ａ…雌螺子部、５ｂ…延長部、７…光透過性バルーン、１０…本体部、１３…バッテリ、１４…バッテリ収納部、１５…開閉蓋、１８…フック、２０…発光部、２１…発光素子基板、２５…ヒートシンク、２５ａ…基板保持部、３０…軸流ファン、４１…吸気口、４２…排気口、４３，４４…通気孔、５０…ハンドル、６１…発光素子駆動回路基板、６２…電源回路基板、７０…操作パネル。
【図１】
2020116049.tif 000003
【図２Ａ】
2020116049.tif 000004
【図２Ｂ】
2020116049.tif 000005
【図２Ｃ】
2020116049.tif 000006
【図３】
2020116049.tif 000007
【図４】
2020116049.tif 000008
【図５】
2020116049.tif 000009
【図６】
2020116049.tif 000010
【図７】
2020116049.tif 000011
【図８】
2020116049.tif 000012
【図９】
2020116049.tif 000013
【図１０】
2020116049.tif 000014
【図１１】
2020116049.tif 000015
【図１２】
2020116049.tif 000016
【国際調査報告】
2020116049.tif 000017
2020116049.tif 000018
2020116049.tif 000019
2020116049.tif 000020